(57)【特許請求の範囲】
【請求項１】
ガスサンプリング装置であって、
フィルタレセプタクルと、
前記フィルタレセプタクルに取り外し可能に挿入可能なフィルタ体であって、前記フィルタ体は、前記フィルタ体の第１端において前記フィルタ体と一体であるアクセサリレセプタクル、及び前記フィルタ体により囲まれるフィルタを持ち、前記アクセサリレセプタクルは、ガス供給を受けるために取り外し可能アクセサリコネクタに接続可能であり、前記フィルタは、前記第１端の反対側の前記フィルタ体の第２端を通って前記フィルタレセプタクルにフィルタ済ガスサンプルを供給するために前記ガス供給をフィルタする、フィルタ体と
を有し、前記フィルタ体は、前記フィルタ体が前記フィルタレセプタクル内に完全に挿入される場合に前記アクセサリレセプタクルのみが前記フィルタレセプタクルから突出するように構成される、ガスサンプリング装置。
【請求項２】
前記フィルタレセプタクルが測定システム内に取り付けられ、前記測定システムの計器パネルを通して直接アクセス可能である、請求項１に記載の装置。
【請求項３】
前記フィルタレセプタクルがそれを通して前記フィルタ体が挿入可能な開口端を持ち、前記フィルタレセプタクルの開口端が前記計器パネル上に取り付けられるフランジを含む、請求項２に記載の装置。
【請求項４】
前記フィルタ体が、前記フィルタ体から前記フィルタ済ガスサンプルを出力する前記フィルタ体と一体の出口ポートをさらに有し、前記フィルタレセプタクルが、前記フィルタ体が前記フィルタレセプタクルに完全に挿入されるときに前記フィルタ済ガスサンプル受けるために前記出口ポートと接続可能な管コネクタを有する、請求項１に記載の装置。
【請求項５】
前記フィルタレセプタクルの内壁上の第１突起と、前記フィルタ体の側壁上の第２突起とを含むロック機構をさらに有し、前記フィルタレセプタクルに挿入される前記フィルタ体の回転により前記フィルタ体を前記フィルタレセプタクルにロックするように前記第１突起が前記第２突起と各々係合可能である、請求項１に記載の装置。
【請求項６】
前記フィルタレセプタクルへの前記フィルタ体の挿入を検出するセンサと、前記フィルタ済ガスサンプルを引き込むポンプとを有し、前記フィルタレセプタクルへの前記フィルタ体の挿入が検出される場合に、前記センサが前記ポンプにポンプ駆動信号を供給する、請求項１に記載の装置。
【請求項７】
前記フィルタレセプタクルが、前記フィルタ体が前記フィルタレセプタクルに完全に挿入されるときに前記フィルタ済ガスサンプルを受けるために前記フィルタ体と接続可能な管コネクタを有し、前記管コネクタが前記フィルタレセプタクルへの前記フィルタ体の挿入により移動可能であり、
前記センサが前記管コネクタの移動に応じて前記ポンプ駆動信号を供給する、
請求項６に記載の装置。
【請求項８】
前記アクセサリレセプタクルへの前記アクセサリコネクタの挿入を検出するセンサと、前記フィルタ済ガスサンプルを引き込むポンプとを有し、前記アクセサリレセプタクルへの前記アクセサリコネクタの挿入が検出される場合に、前記センサが前記ポンプにポンプ駆動信号を供給する、請求項１に記載の装置。
【請求項９】
前記フィルタレセプタクルが、前記フィルタ体が前記フィルタレセプタクルに完全に挿入されるときに前記フィルタ済ガスサンプルを受けるために前記フィルタ体と接続可能な管コネクタを有し、前記フィルタが前記管コネクタを移動するために前記アクセサリレセプタクルへの前記アクセサリコネクタの挿入により前記フィルタ体内をスライドし、
前記センサが前記管コネクタの移動に応じて前記ポンプ駆動信号を供給する、
請求項８に記載の装置。
【請求項１０】
呼吸回路と測定装置の間のサンプルラインに配置される、請求項１に記載の装置。
【請求項１１】
フロントパネルを含むハウジングであって、前記フィルタレセプタクルが、前記ハウジング内に取り付けられ、前記フロントパネルを通してアクセス可能である、ハウジングと、
前記フィルタ済ガスサンプルを分析のためにサンプルラインへ引き込むために前記フィルタレセプタクルに接続されるポンプと、
前記ポンプを駆動する信号を供給するために前記フィルタ体の状態を検出するセンサと
を有する、請求項１に記載の装置。
【請求項１２】
前記フィルタ体が、前記フィルタ体から前記フィルタ済ガスサンプルを出力する前記フィルタ体と一体の出口ポートをさらに有し、前記フィルタレセプタクルが、前記フィルタ体が前記フィルタレセプタクルに完全に挿入されるときに前記フィルタ済ガスサンプルを受けるために前記出口ポートと接続可能な管コネクタを有する、請求項１１に記載の装置。
【請求項１３】
前記フィルタレセプタクルの内壁上の第１突起と、前記フィルタ体の側壁上の第２突起とを含むロック機構をさらに有し、前記フィルタレセプタクルへ挿入される前記フィルタ体の回転により前記フィルタ体を前記フィルタレセプタクルにロックするように前記第１突起が前記第２突起と各々係合可能である、請求項１１に記載の装置。
【請求項１４】
前記フィルタレセプタクルが、前記フィルタ体が前記フィルタレセプタクルに完全に挿入されるときに前記フィルタ済ガスサンプルを受けるために前記フィルタ体と接続可能な管コネクタを有し、前記フィルタが前記管コネクタを移動するために前記アクセサリコネクタの前記アクセサリレセプタクルへの挿入により前記フィルタ体内でスライドし、
前記センサが前記管コネクタの移動に応じて前記ポンプを駆動する信号を供給する、
請求項１１に記載の装置。
【請求項１５】
前記フィルタレセプタクルが、前記フィルタ体が前記フィルタレセプタクルに完全に挿入されるときに前記フィルタ済ガスサンプルを受けるために前記フィルタ体と接続可能な管コネクタを有し、前記管コネクタが前記フィルタレセプタクルへの前記フィルタ体の挿入により移動可能であり、
前記センサが前記管コネクタの移動に応じて前記ポンプを駆動する信号を供給する、
請求項１１に記載の装置。
【発明の詳細な説明】
【技術分野】
【０００１】
本明細書に記載の発明概念は概してガスサンプリングシステム用の交換可能フィルタに関する。より具体的には、発明概念はフィルタレセプタクルに挿入可能で、アクセサリコネクタとの取り外し可能接続のための一体アクセサリレセプタクルを含む、交換可能フィルタに関する。
【背景技術】
【０００２】
ガス検出及び測定システムは通常、管を通る所望のサンプル部位からガスのサンプル若しくはガスの連続ストリームを収集し、そしてサンプルは分析のための測定装置に供給される。呼吸ガスモニタリングなどの多くの用途において、収集されモニタされるガス内に水及び他の汚染物質が存在し得る。こうした汚染物質が測定装置内部に引き込まれることを防ぐために、ひいては汚染物質がサンプルの測定を妨げること及び／又は測定装置へのガスの経路を塞ぐことを防ぐために、様々なタイプのフィルタ及びウォータートラップがサンプル管に沿って一つ以上の点において利用されることが多い。こうしたフィルタ及びウォータートラップは、過剰に汚染されるときに交換用フィルタにユーザが容易にアクセスし得るように、サンプル管が装置に接続される場所付近の計器パネル上に測定装置の外部に位置することが多い。他の事例では、こうしたフィルタが測定装置の内部に位置することがあり、従ってフィルタが交換される必要がある場合機器が整備されることを要する。
【０００３】
計器パネル付近に置かれるフィルタ及びウォータートラップは大抵容易なフィルタ交換を可能にする無難な解決法である。しかしながら、外部フィルタ及びウォータートラップはサンプルラインコネクタのために必要なスペースを超える余分なスペースを要する。必要な追加スペースは利用可能でないことが多い。例えば、多くのマルチパラメータ医療モニタリング機器は互いにごく接近した複数のプラグインモジュール、若しくは密集したセンサコネクタを持つ。このような場合、外部フィルタを位置付けるために必要な追加スペースは重大な問題を引き起こす。他方、フィルタを測定装置の内部に位置付けることは機器ユーザが必要なときにフィルタを交換できず、その結果フィルタを交換するメンテナンスのためのサービスから測定装置が外されなければならないという問題を生じる。
【発明の概要】
【発明が解決しようとする課題】
【０００４】
従って、サンプルラインアクセサリコネクタのために必要なスペース以外の追加外部スペースが必要ないように、ユーザによって取り外し可能で、交換可能フィルタと一体化されるサンプルラインアクセサリコネクタを持つ交換可能フィルタを含むガスサンプリングシステムが当技術分野で必要である。
【課題を解決するための手段】
【０００５】
一実施形態例によれば、フィルタレセプタクルと、フィルタレセプタクルに挿入可能であるように構成されるフィルタ体とを含むガスサンプリング装置が提供され、フィルタ体は、フィルタ体と一体で、ガス供給を受けるために取り外し可能アクセサリコネクタに接続可能なアクセサリレセプタクルと、フィルタレセプタクルにフィルタ済ガスサンプルを供給するためにガス供給をフィルタするフィルタとを持つ。
【０００６】
別の実施形態例によれば、フロントパネルを含むハウジングと、ハウジング内に取り付けられフロントパネルを通じてアクセス可能なフィルタレセプタクルと、フィルタレセプタクルに挿入可能であるように構成されるフィルタ体とを含むガスサンプリング装置が提供され、フィルタ体は、フィルタ体と一体で、ガス供給を受けるために取り外し可能アクセサリコネクタに接続可能なアクセサリレセプタクルと、フィルタレセプタクルにフィルタ済ガスサンプルを供給するためにガス供給をフィルタするフィルタと、分析のためにサンプルラインへフィルタ済ガスサンプルを引き込むためにフィルタレセプタクルに接続されるポンプと、ポンプを駆動する信号を供給するためにフィルタ体の状態を検出するように構成されるセンサとを持つ。
【０００７】
当然のことながら前述の概念と下記でより詳細に論じられる追加の概念の全組み合わせが（かかる概念が相互に矛盾しないという条件で）本明細書に開示の発明概念の一部であるとして考慮される。特に、本開示の最後にあらわれる請求される主題の全組み合わせが本明細書に開示の発明概念の一部であるとして考慮される。また当然のことながら参照によって組み込まれる任意の開示にもあらわれ得る本明細書で明確に使用される用語は本明細書に開示の特定概念と最も一致する意味を与えられるべきである。
【０００８】
図面において、同様の参照符号は概して異なる図面を通して同じ部分をあらわす。また、図面は必ずしも縮尺通りでなく、代わりに概して発明概念の原理を説明することを強調する。
【図面の簡単な説明】
【０００９】
【図１】代表的実施形態にかかる、一体アクセサリレセプタクルを持つフィルタ体であって、ガスサンプリング装置内に取り付けられるフィルタレセプタクルに挿入されるフィルタ体を含むガスサンプリング装置を図示する断面図である。
【図２】別の代表的実施形態にかかる、一体アクセサリレセプタクルを持つフィルタ体であって、ガスサンプリング装置内に取り付けられるフィルタレセプタクルに挿入されるフィルタ体と、アクセサリレセプタクルへのアクセサリコネクタの挿入を検出するためのセンサとを含むガスサンプリング装置を図示する断面図である。
【図３】別の代表的実施形態にかかる、一体アクセサリレセプタクルを持つフィルタ体であって、ガスサンプリング装置内に取り付けられるフィルタレセプタクルに挿入されるフィルタ体と、フィルタレセプタクルへのフィルタ体の挿入を検出するためのセンサとを含むガスサンプリング装置を図示する断面図である。
【図４】別の代表的実施形態にかかる、呼吸回路と測定装置の間のサンプルラインに直接配置されるフィルタレセプタクルとフィルタ体の組み合わせを図示する簡易図である。
【発明を実施するための形態】
【００１０】
以下の詳細な説明において、説明であって限定ではない目的で、本教示の完全な理解を提供するために特定の詳細を開示する代表的実施形態が示される。しかしながら、本開示の利益を得ている当業者には、本明細書に開示の特定の詳細から逸脱する本教示にかかる他の実施形態が添付の請求項の範囲内にとどまることが明らかであろう。さらに、周知の装置及び方法の記載は代表的実施形態の記載を曖昧にしないように省略され得る。かかる方法及び装置は明らかに本教示の範囲内にある。
【００１１】
図１は代表的実施形態にかかる、一体アクセサリレセプタクルを持つフィルタ体であって、ガスサンプリング装置内に取り付けられるフィルタレセプタクルに挿入されるフィルタ体を含むガスサンプリング装置を図示する断面図である。
【００１２】
図１において、ガスサンプリング装置１０はハウジング３００内に取り付けられるフィルタレセプタクル２００を含むものとして一部図示され、フィルタ体１００は計器パネル３１０内の開口を通してフィルタレセプタクル２００に挿入される。フィルタレセプタクル２００はハウジング３００に及び、側壁２１４を含む囲いとして形成される。当然のことながら図１はフィルタ体１００をフィルタレセプタクル２００の内部へ挿入されるものとして示すように側壁２１４を部分的に切り取った断面図である。つまり、この代表的実施形態において、側壁２１４は円筒形状であり得る囲いを形成するように実質的に連続的であり得る。フィルタ体１００もフィルタレセプタクル２００内にコンフォーマルにフィットするように全体的に円筒形状であり得る。フィルタレセプタクル２００の前面若しくは開口端は側壁２１４の第１端からのびる実質的に連続的なフランジ２１０を含み得る。フランジ２１０は計器パネル３１０内の開口に沿って計器パネル３１０の外部に固定され得る。後方壁２１８はフィルタレセプタクル２００を囲むように側壁２１４の第２端に固定され得る。管コネクタ２１６は、後述する通りフィルタレセプタクル２００へのフィルタ体１００の挿入時にフィルタ体１００と係合するために後方壁２１８を通って突出するように配置され得る。従って上記の通りフィルタレセプタクル２００はハウジング３００内に囲いを形成し、これは計器パネル３１０内の開口を通してアクセス可能で、フィルタレセプタクル２００の内部からハウジング３００内の任意の追加部品を実質的に分離し、液体、固体、及び／又はユーザとの追加部品のいかなる接触も防止する。
【００１３】
フィルタ体１００はフィルタレセプタクル２００に取り外し可能に挿入可能であり、フィルタ体１００の第１端と一体のアクセサリレセプタクル１１０を含む。アクセサリレセプタクル１１０はサンプリングのためのガスを受けるためにアクセサリコネクタ（図１に図示されない）と接続可能であるように構成される。ちなみに、例えば、図２に図示の通りサンプルライン４００の末端に配置されるアクセサリコネクタ４１０などのアクセサリコネクタは後述する通りガス供給を供給するためにアクセサリレセプタクル１１０に取り外し可能に接続され得る。アクセサリレセプタクル１１０は様々な標準アクセサリコネクタのいずれとも接続可能であるように構成され得る。上述の通り、アクセサリレセプタクル１１０はフィルタ体１００と一体として、フィルタ体１００に直接若しくはその一部として形作られるか（図２に図示の通り）、及び／又はフィルタ体１００に直接固定して取り付けられるものとして形成される。図１に図示の通りアクセサリレセプタクル１１０の直径は計器パネル３１０内の開口の直径よりも大きい。フィルタ体１００の第２端はフィルタ体１００からフィルタ済ガスサンプルを供給する出口ポート１１６を含み得る。図２に図示の通りフィルタレセプタクル２００内への完全なフィルタ体１００の挿入時、出口ポート１１６と管コネクタ２１６が係合し、アクセサリレセプタクル１１０がフランジ２１０及び／又は計器パネル３１０の外表面に対して隣接し、実質的に計器パネル３１０においてアクセス可能なフィルタ体１００の唯一の部分はアクセサリレセプタクル１１０である。
【００１４】
図１にさらに図示の通り、第１のロックタブ１１２がフィルタ体１００の側壁１１４からの突出部として配置され、第２のロックタブ２１２がフィルタレセプタクル２００内の側壁２１４からの突出部として配置される。第１及び第２のロックタブ１１２及び２１２は協働してフィルタ体１００をフィルタレセプタクル２００内で適所に保つツイストロックタイプ機構を形成する。フィルタレセプタクル２００へのフィルタ体１００の挿入時、第１及び第２のロックタブ１１２及び２１２が互いに一直線にならず、従って妨げられずに互いに横方向に通過し得るように、及びフィルタ体１００がフィルタレセプタクル２００内に完全に挿入され得るように、フィルタ体１００はいずれの方向にも（時計回り若しくは反時計回りに）回転され得る。その後、フィルタ体１００は第１及び第２のロックタブ１１２及び２１２の側面が横方向に互いに隣接して、フィルタ体１００をフィルタレセプタクル２００内にロックするように、いずれかの方向にさらに回転され得る。フィルタ体１００は第１及び第２のロックタブ１１２及び２１２がもはや互いに一直線でなくなるように、及びフィルタ体１００がフィルタレセプタクル２００から横方向に引き抜かれ得るように、フィルタ体１００をいずれかの方向に回転させることによってフィルタレセプタクル２００から取り外され得る。
【００１５】
図２は別の代表的実施形態にかかる、一体アクセサリレセプタクルを持つフィルタ体であって、ガスサンプリング装置内に取り付けられるフィルタレセプタクルに挿入されるフィルタ体と、アクセサリレセプタクルへのアクセサリコネクタの挿入を検出するためのセンサとを含むガスサンプリング装置を図示する断面図である。
【００１６】
図２を参照すると、ガスサンプリング装置２０が各々同様の参照数字によってあらわされる図１と同様の特徴を含むものとして図示される。しかしながらこの代表的実施形態において、ガスサンプリング装置２０はフィルタレセプタクル２００に取り外し可能に挿入可能なフィルタ体５００を含むものとして一部図示される。図２はフィルタレセプタクル２００の内部に完全に挿入されたフィルタ体５００を図示するためにフィルタレセプタクル２００の側壁２１４を部分的に切り取った断面図である。つまり、この代表的実施形態において、側壁２１４は円筒形状であり得る囲いを形成するように実質的に連続的であり得る。図２において、様々な構成要素が図１に図示したものと同様の方法で配置され、かかる同様の構成要素の詳細な説明は簡潔さのために以下から省略され得る。また、図１に図示のハウジング３００及び計器パネル３１０は図２を簡略化するために図２から省略される。当然のことながら、フランジ２１０は計器パネル内の開口に沿って計器パネル（不図示）の外部に固定され得る。
【００１７】
図２において、フィルタ体５００も断面で図示され、フィルタ体５００と一体で側壁５１４の第１端において配置されるアクセサリレセプタクル５１０を含む。サンプルライン４００の末端に配置されるアクセサリコネクタ４１０はアクセサリレセプタクル５１０に取り外し可能に接続可能であり、アクセサリレセプタクル５１０へ完全に挿入されるように図２に図示される。この代表的実施形態におけるフィルタ体５００の内部はフィルタ５２０を囲むスライド可能内部フィルタ管５３０を含む。スライド可能内部フィルタ管５３０はアクセサリレセプタクル５１０とのアクセサリコネクタ４１０の挿入及び接続に応じてフィルタ体５００内で横方向に移動可能である。フィルタ体５００の第２端は出口ポート５１６を含み得る。さらに図示の通り、図１に関して同様に記載した通り、第１のロックタブ５１２がフィルタ体５００の側壁５１４からの突出部として配置され、第２のロックタブ２１２がフィルタレセプタクル２００内の側壁２１４からの突出部として配置される。
【００１８】
図２における管コネクタ２２６はフィルタレセプタクル２００の後方壁２１８を通して配置され、フィルタ体５００がフィルタレセプタクル２００に完全に挿入されるときにフィルタ体５００の出口ポート５１６に及ぶ。この代表的実施形態の管コネクタ２２６はフィルタ体５００内のスライド可能内部フィルタ管５３０の移動に応じて、図示の通り横方向に移動可能なスライド可能アクチュエータ管である。フィルタレセプタクル２００の後方壁２１８の外部において、管コネクタ２２６はガスサンプリング装置２０のハウジング（不図示）内のポンプ３３０につながるサンプルライン４０２への接続点をもたらすバーブコネクタ２２０をさらに含む。ポンプ３３０はサンプルライン４０２に沿って管コネクタ２２６からフィルタ済ガスサンプルを引き込み、引き込まれたフィルタ済ガスサンプルはその後分析のために測定装置（不図示）へ供給される。管コネクタ２２６はフィルタレセプタクル２００の後方壁２１８に沿ってバーブコネクタ２２０からのびるフランジ２２２をさらに含む。センサ３２０が後方壁２１８の付近にフィルタレセプタクル２００の外部若しくはその付近でハウジング内に取り付けられ、管コネクタ２２６のフランジ２２２と接触するアクチュエータアーム３０２を含む。
【００１９】
図２に図示の通り完全に挿入されたフィルタ体５００のアクセサリレセプタクル５１０とのアクセサリコネクタ４１０の挿入及び接続時、スライド可能内部フィルタ管５３０は出口ポート５１６を通じてフィルタ体５００に及ぶ管コネクタ２２６に対して横方向に移動される。管コネクタ２２６はスライド可能内部フィルタ管５３０の移動に応じて横方向にスライド可能に移動され、センサ３２０のアクチュエータアーム３０２はその結果管コネクタ２２６のフランジ２２２によって変位位置へと移動される。センサ３２０はポンプ３３０を駆動するために導電線３０４を介してポンプ３３０へポンプ駆動信号を供給する。従って、センサ３２０はフィルタ体５００のアクセサリレセプタクル５１０へのサンプルライン４００のアクセサリコネクタ４１０の挿入と接続に応じてポンプ３３０を駆動し、従ってガスサンプリング装置２０がガス源に接続されないときのポンプ３３０の作動を防ぐことによって、ポンプ３３０の耐用年数を延ばし、測定装置を保護する。
【００２０】
図３は別の代表的実施形態にかかる、一体アクセサリレセプタクルを持つフィルタ体であって、ガスサンプリング装置内に取り付けられるフィルタレセプタクルに挿入されるフィルタ体と、フィルタレセプタクルへのフィルタ体の挿入を検出するためのセンサとを含むガスサンプリング装置を図示する断面図である。
【００２１】
図３を参照すると、各々同様の参照数字であらわされる図２と同様の特徴を含むガスサンプリング装置３０が図示される。しかしながらこの代表的実施形態において、ガスサンプリング装置３０はフィルタレセプタクル２００に取り外し可能に挿入可能なフィルタ体６００を含むものとして一部図示される。図３はフィルタレセプタクル２００の内部に完全に挿入されるものとしてフィルタ体６００を図示するためにフィルタレセプタクル２００の側壁２１４が部分的に切り取られた断面図である。つまり、この代表的実施形態において、側壁２１４は円筒形状であり得る囲いを形成するように実質的に連続的であり得る。図３において、図２に図示のものと同様の方法で様々な構成要素が配置され、かかる同様の構成要素の詳細な説明は簡潔さのために以下から省略され得る。また、図１に図示のハウジング３００と計器パネル３１０は図３を簡略化するために図３から省略される。当然のことながら、フランジ２１０は計器パネル内の開口に沿って計器パネル（不図示）の外部に固定され得る。
【００２２】
図３において、フィルタ体６００も断面で図示され、フィルタ体６００と一体で側壁６１４の第１端において配置されるアクセサリレセプタクル６１０を含む。サンプルライン４００の末端に配置されるアクセサリコネクタ４１０はアクセサリレセプタクル６１０に取り外し可能に接続可能であり、アクセサリレセプタクル６１０に完全に挿入されて図３に図示される。フィルタ体６００の内部はこの代表的実施形態においてフィルタ６２０を囲む。図２の代表的実施形態と対照的に、フィルタ６２０はフィルタ体６００内で固定であり移動可能でない。フィルタ体６００の第２端は出口ポート６１６を含み得る。さらに図示の通り、図１に関して同様に記載した通り、第１のロックタブ６１２がフィルタ体６００の側壁６１４からの突出部として配置され、第２のロックタブ２１２がフィルタレセプタクル２００内の側壁２１４からの突出部として配置される。
【００２３】
図３における管コネクタ２３６はフィルタレセプタクル２００の後方壁２１８を通して配置される。しかしながら、図２の代表的実施形態と対照的に、管コネクタ２３６はフィルタ体６００がフィルタレセプタクル２００に完全に挿入されるときにフィルタ体６００の出口ポート６１６に及ばない。つまり、フィルタ体６００がフィルタレセプタクル２００に完全に挿入されるときに図３における管コネクタ２３６がフィルタ体６００の第２端に対して隣接するように、図３におけるフィルタ体６００の出口ポート６１６の直径は図２におけるフィルタ体５００の出口ポート５１６の直径と比較して短縮される。この代表的実施形態の管コネクタ２３６はフィルタレセプタクル２００内のフィルタ体６００の完全な挿入に応じて、図示の通り横方向に移動可能なスライド可能アクチュエータ管である。フィルタレセプタクル２００の後方壁２１８の外部において、管コネクタ２３６はガスサンプリング装置３０のハウジング（不図示）内のポンプ３３０へつながるサンプルライン４０２への接続点を与えるバーブコネクタ２２０をさらに含む。ポンプ３３０はサンプルライン４０２に沿って管コネクタ２３６からフィルタ済ガスサンプルを引き込み、引き込まれたフィルタ済ガスサンプルはその後分析のために測定装置（不図示）へ供給される。管コネクタ２３６はフィルタレセプタクル２００の後方壁２１８に沿ってバーブコネクタ２２０からのびるフランジ２２２をさらに含む。センサ３２０は後方壁２１８の付近にフィルタレセプタクル２００の外部若しくはその付近でハウジング内に取り付けられ、管コネクタ２３６のフランジ２２２と接触するアクチュエータアーム３０２を含む。
【００２４】
図３に図示の通りフィルタレセプタクル２００へのフィルタ体６００の完全挿入時、フィルタ体６００は管コネクタ２３６に対して隣接する。管コネクタ２３６はフィルタ体６００との隣接に応じて横方向にスライド可能に移動され、センサ３２０のアクチュエータアーム３０２はその結果管コネクタ２３６のフランジ２２２によって変位位置へと移動される。センサ３２０はポンプ３３０を駆動するために導電線３０４を介してポンプ３３０へポンプ駆動信号を供給する。従って、センサ３２０はフィルタレセプタクル２００へのフィルタ体６００の完全挿入に応じてポンプ３３０を駆動し、従ってフィルタ体６００がフィルタレセプタクル２００に完全に及び／又は適切に挿入されないときのポンプ３３０の作動を防ぐことによって、ポンプ３３０の耐用年数を延ばし測定装置を保護する。
【００２５】
複数の代表的実施形態が本明細書に記載され図示されているが、当業者は本明細書に記載の機能を実行する並びに／或いは結果及び／又は利点の一つ以上を得るための様々な他の手段及び／又は構造を容易に想定し、かかる変更及び／又は修正の各々は本明細書に記載の発明の実施形態の範囲内にあるとみなされる。
【００２６】
例えば、図１の代表的実施形態が記載され、それによってガスサンプリング装置１０はハウジング３００内の囲いとして形成されるフィルタレセプタクル２００を含み、フィルタ体１００は計器パネル３１０内の開口を通してフィルタレセプタクル２００に挿入可能である。さらなる代表的実施形態において、フィルタレセプタクル体２００とフィルタ体１００の組み合わせはハウジング３００の外部に配置され得る。
【００２７】
図４は別の代表的実施形態にかかる、呼吸回路と測定装置の間のサンプルラインに直接配置されるフィルタレセプタクルとフィルタ体の組み合わせを図示する簡易図である。
【００２８】
図４に図示の通り、ガスサンプリング装置４０は呼吸回路７００と測定装置８００の間のサンプルライン４５０に直接配置されるフィルタレセプタクル２００とフィルタ体１００の組み合わせを含む。最初に、当然のことながら図４は縮尺通りでなく、構成要素は理解を促進するために誇張され得る。図４において、フィルタ体１００はフィルタレセプタクル２００に取り外し可能に挿入可能である。アクセサリレセプタクル１１０はフィルタ体１００の第１端と一体である。呼吸回路７００へつながるサンプルライン４５０の末端におけるアクセサリコネクタ４１０はアクセサリレセプタクル１１０に取り外し可能に挿入され得る。フィルタ済ガスサンプルはフィルタ体１００の出口ポート１１６を通してフィルタ体１００から管コネクタ２１６へ供給され得る。測定装置８００へつながるサンプルライン４５０の末端はコネクタバーブ（不図示）によって管コネクタ２１６へ接続され、フィルタ済ガスサンプルはサンプルライン４５０の対応部を介して管コネクタ２１６から測定装置８００へ供給され得る。このさらなる代表的実施形態において、フィルタレセプタクル２００／フィルタ体１００の組み合わせはサンプルライン４５０に沿ってどこでも都合よく配置され、測定装置８００において必要なスペースと複雑性を削減し得る。
【００２９】
図１‐３の代表的実施形態において、フィルタレセプタクル２００はガスサンプリング装置のハウジング内に取り付けられるものとして記載される。さらなる代表的実施形態において、フィルタレセプタクル２００は代わりに、互いにごく接近する複数のプラグインモジュールを持つマルチパラメータ医療モニタリング機器を含むラックのハウジング内に、又はガスサンプリング装置を含みセンサコネクタの集まりを含むマルチパラメータ医療機器のハウジング内に取り付けられ得る。
【００３０】
図１‐３の代表的実施形態において、フィルタレセプタクル２００と様々なフィルタ体は概して円筒形状を持つものとして記載される。しかしながら、さらなる代表的実施形態において、フィルタレセプタクル２００と様々なフィルタ体は、フィルタ体がフィルタレセプタクル２００内にしっかりと挿入可能であるように設けられる、様々な他の形状とデザインをとり得る。また、ねじ式インターロック、若しくはフィルタレセプタクル２００からフィルタ体を外すためにリリースレバーの押し下げを要するラッチフック機構など、様々な他のロック機構がフィルタレセプタクル２００内にフィルタ体を維持するために使用され得る。なおさらなる代表的な実施形態において、図２及び３におけるセンサ３２０は光学的に、又はフィルタレセプタクル若しくはフィルタ体上の磁石とホール効果センサを用いて磁気的に、フィルタレセプタクル２００内のフィルタ体の各状態を決定し得る。
【００３１】
当業者は、本明細書に記載の全パラメータ、寸法、材料、及び構成が例示であるように意図され、実際のパラメータ、寸法、材料、及び／又は構成は代表的実施形態が使用される特定用途に依存することも容易に理解するはずである。当業者は、単なる日常実験だけを用いて、本明細書に記載の特定の代表的実施形態への多くの均等物を認識し、若しくは確認することができるだろう。従って、当然のことながら上記実施形態はほんの一例として提示され、添付の請求項及びその均等物の範囲内で、代表的実施形態は具体的に記載され請求された以外の方法で実施され得る。本開示の代表的実施形態は本明細書に記載の個々の特徴、システム、項目、材料、キット、及び／又は方法の各々に向けられる。加えて、二つ以上のかかる特徴、システム、項目、材料、キット、及び／又は方法の任意の組み合わせは、かかる特徴、システム、項目、材料、キット、及び／又は方法が相互に矛盾しない場合、本開示の範囲内に含まれる。
【００３２】
本明細書で定義され使用される全定義は、辞書的定義、参照によって組み込まれる文献中の定義、及び／又は定義された語の通常の意味を支配すると理解されるべきである。
【００３３】
明細書及び請求項において使用される不定冠詞"ａ"及び"ａｎ"は、それとは反対に明確に示されない限り、"少なくとも一つ"を意味するものと理解されるべきである。
【００３４】
明細書及び請求項において使用される"及び／又は"という語句は、そのように結合される要素、すなわち一部の場合連言的に存在し、他の場合選言的に存在する要素の"いずれか若しくは両方"を意味するものと理解されるべきである。"及び／又は"でリストされる複数の要素は同じように解釈されるべきである、すなわち要素の"一つ以上"はそのように結合される。明確に特定された要素と関係があろうとなかろうと、"及び／又は"節によって明確に特定される要素以外の他の要素が随意に存在し得る。従って、限定しない実施例として、"Ａ及び／又はＢ"への言及は、"有する"などのオープンエンドな言葉と併用されるとき、一実施形態においてはＡのみ（随意にＢ以外の要素を含む）を、別の実施形態においてＢのみ（随意にＡ以外の要素を含む）を、さらに別の実施形態においてＡ及びＢ両方（随意に他の要素を含む）などをあらわし得る。
【００３５】
明細書と請求項において使用される通り、"又は"とは上記の通り"及び／又は"と同じ意味を持つものと理解されるべきである。例えば、リストにおいて項目を分離するとき、"又は"若しくは"及び／又は"は包括的である、すなわち少なくとも一つを含む、ただし複数の若しくはリストの要素、及び随意に追加の非リスト項目のうち一つよりも多くも含むものと解釈されるものとする。"ただ一つの"若しくは"厳密に一つの"、又は請求項で使用されるときは"から構成される"など、その反対に明確に示される語のみが複数の若しくはリストの要素のうち厳密に一つの要素を含むことをあらわす。概して、本明細書で使用される"又は"という語は、"いずれか""のうち一つ"、"のうちただ一つ"、若しくは"のうち厳密に一つ"など、排他性の語が先行するとき、排他的な選択肢（すなわち"一方若しくは他方ただし両方ではない"）を示すものと解釈されるのみとする。請求項において使用されるとき、"から原則的に構成される"とは特許法の分野において使用されるその通常の意味を持つものとする。
【００３６】
請求項において、並びに上記明細書において、"有する"、"含む"、"担持する"、"持つ"、"包含する"、"伴う"、"保持する"、"から成る"及び同様のものなどの全移行句は、オープンエンド、すなわち含むが限定されないことを意味すると理解されるものとする。Ｕｎｉｔｅｄ  Ｓｔａｔｅｓ  Ｐａｔｅｎｔ  Ｏｆｆｉｃｅ  Ｍａｎｕａｌ  ｏｆ  Ｐａｔｅｎｔ  Ｅｘａｍｉｎｉｎｇ  Ｐｒｏｃｅｄｕｒｅｓ，Ｓｅｃｔｉｏｎ  ２１１１．０３に記載の通り、移行句"から構成される"及び"から原則的に構成される"のみが各々クローズド若しくはセミクローズドな移行句であるものとする。
【図１】
0006506025.tif 000002
【図２】
0006506025.tif 000003
【図３】
0006506025.tif 000004
【図４】
0006506025.tif 000005